【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
ジオシンセティック製品が：
（１）ポリマ材料；及び
（２）前記ポリマ材料と組み合わせる導電性フィラー、から構成されたセンサ使用可能なジオシンセティック材料を含み、
前記センサ使用可能なジオシンセティック材料は、そのパーコレーション領域内に導電性及び歪感受性を前記センサ使用可能なジオシンセティック材料に提供するように、既定の濃度の前記導電性フィラーを有し、ここで、前記ジオシンセティック製品は、ジオグリッド、ジオメンブレン、ジオテキスタイル、ジオネット、ジオシンセティック粘土ライナー、ジオフォーム及びジオコンポジットからなる群から選択される、
ジオシンセティック製品。
【請求項２】
請求項１に記載の前記センサ使用可能なジオシンセティック材料であり、前記ポリマ材料がポリオレフィンであり、前記ポリオレフィンが、ポリプロピレン、ポリエチレン及びこれらの組み合わせ物からなる群から選択される、ジオシンセティック材料。
【請求項３】
請求項１又は２に記載の前記センサ使用可能なジオシンセティック材料であり、前記導電性フィラーが、金属粉末、導電性カーボンブラック、グラファイトファイバ、カーボンナノチューブ及びそれらの組み合わせ物からなる群から選択される、ジオシンセティック材料。
【請求項４】
請求項１〜３のいずれか一項に記載の前記センサ使用可能なジオシンセティック材料であり、前記センサ使用可能なジオシンセティック材料中の前記導電性フィラーの前記既定の濃度が、前記センサ使用可能なジオシンセティック材料を前記パーコレーション領域内に位置される最大濃度である、ジオシンセティック材料。
【請求項５】
請求項１〜４のいずれか一項に記載の前記センサ使用可能なジオシンセティック材料であり、前記センサ使用可能なジオシンセティック材料中の前記導電性フィラーの前記既定の濃度が、約０．０１重量％から約３０重量％の範囲である、ジオシンセティック材料。
【請求項６】
請求項１〜５のいずれか一項に記載の前記センサ使用可能なジオシンセティック構造であり、前記センサ使用可能なジオシンセティック材料中の前記導電性フィラーの前記既定の濃度が、前記パーコレーション領域の上限濃度部分で圧電抵抗性が位置される濃度範囲内である、ジオシンセティック構造。
【請求項７】
ジオシンセティック構造におけるジオメトリック又は機械的歪を測定するための、請求項１〜６のいずれか一項に記載の前記ジオシンセティック製品を含む、ジオシンセティック構造。
【請求項８】
ジオシンセティック構造におけるジオメトリック歪を測定する方法であり、以下のステップ：
ジオシンセティック構造におけるジオメトリック歪を測定するための前記ジオシンセティック構造内のジオシンセティック製品の測定位置を選択し、ここで、前記ジオシンセティック製品は、請求項１〜６のいずれか一項に記載の前記ジオシンセティック製品であるステップ；及び
前記ジオシンセティック製品の前記測定位置での前記ジオシンセティック構造の前記ジオメトリック歪を決定するステップ、
を含む方法。
【請求項９】
導電性データを提供するために前記ジオシンセティック製品に導電性リードを付設する、請求項８に記載の方法。
【請求項１０】
請求項８又は９に記載の方法であり、前記ジオシンセティック製品の複数の測定位置がそれらのジオメトリック歪を測定するために選択され、前記複数の測定位置での前記ジオメトリック歪が同時に測定される、方法。
【請求項１１】
センサ使用可能なジオシンテープであり、前記ジオシンテープが：
ポリマ材料から形成され、既定の長さ、既定の幅及び既定の高さを有する薄フィルムストリップ、；及び
前記センサ使用可能なジオシンセティック材料を提供するための、前記ポリマ材料と組み合わせる導電性フィラーであって、ここで、前記薄フィルムストリップが前記センサ使用可能なジオシンセティック材料から構成されてセンサ使用可能なジオシンテープを提供し、前記センサ使用可能なジオシンセティック材料に、既定の濃度の前記導電性フィラーを有し、そのパーコレーション領域内に導電性及び歪感受性を提供する導電性フィラー、
を含む、ジオシンテープ。
【請求項１２】
請求項１１に記載の前記センサ使用可能なジオシンテープであり、前記ポリマ材料がポリオレフィンであり、前記ポリオレフィンが、ポリプロピレン、ポリエチレン及びこれらの組み合わせ物からなる群から選択される、ジオシンテープ。
【請求項１３】
請求項１１又は１２に記載の前記センサ使用可能なジオシンテープであり、前記導電性フィラーが、金属粉末、導電性カーボンブラック、グラファイトファイバ、カーボンナノチューブ及びそれらの組み合わせ物からなる群から選択される、ジオシンテープ。
【請求項１４】
請求項１１〜１３のいずれか一項に記載の前記センサ使用可能なジオシンテープであり、前記センサ使用可能なジオシンセティック材料中の前記導電性フィラーの前記既定の濃度が、前記センサ使用可能なジオシンセティック材料が前記パーコレーション領域内に位置される最大濃度である、ジオシンテープ。
【請求項１５】
請求項１１〜１４のいずれか一項に記載の前記センサ使用可能なジオシンテープであり、前記センサ使用可能なジオシンセティック材料中の前記導電性フィラーの前記既定の濃度が、約０．０１重量％から約３０重量％の範囲である、ジオシンテープ。
【請求項１６】
請求項１１〜１５のいずれか一項に記載の前記センサ使用可能なジオシンテープであり、前記センサ使用可能なジオシンセティック材料中の前記導電性フィラーの前記既定の濃度が、前記パーコレーション領域の上限濃度部分で圧電抵抗性が位置される濃度範囲内である、ジオシンテープ。
【請求項１７】
接続された電気リードを有する、請求項１１〜１６のいずれか一項に記載の前記センサ使用可能なジオシンテープ。
【請求項１８】
ジオシンセティック構造におけるジオメトリック又は機械的歪を測定するための、前記ジオシンセティック構造に付された、請求項１１〜１７のいずれか一向に記載の前記センサ使用可能なジオシンテープを含む、ジオシンセティック構造。
【請求項１９】
請求項１８に記載のジオシンセティック構造におけるジオメトリック又は機械的歪を測定する方法であり、前記方法が；
前記ジオシンセティック構造に付設された前記センサ使用可能なジオシンテープの測定位置を選択し；及び
前記ジオシンセティック構造の前記ジオメトリック又は機械的歪を、前記測定位置での前記センサ使用可能なジオシンテープにおける導電性を測定することにより決定する、
ことを含む、方法。
【請求項２０】
前記ジオシンテープに導電性リードを付設して導電性データを提供する、請求項１９に記載の方法。
【請求項２１】
請求項１９又は２０に記載の方法であり、前記ジオシンセティック製品の複数の測定位置がそれらのジオメトリック歪を測定するために選択され、前記複数の測定位置の前記ジオメトリック歪が同時に測定される、方法。
【請求項２２】
前記ジオシンセティック構造における機械的挙動をモニタするための、ジオシンセティック構造に関連するジオシンセティック製品における、ジオメトリック又は機械的歪を測定するための方法であり、以下のステップ：
前記ジオシンセティック製品の測定位置を選択するステップであって、ここで、前記ジオシンセティック製品は、ジオグリッド、ジオメンブレン、ジオテキスタイル、ジオネット、ジオシンセティック粘土ライナー、ジオフォーム及びジオコンポジットからなる群から選択され、（１）ポリマ材料、及び（２）前記ポリマ材料と組み合わせる導電性フィラーから製造された、センサ使用可能なジオシンセティック材料を含み、前記センサ使用可能なジオシンセティック材料は、パーコレーション領域内で前記センサ使用可能なジオシンセティック材料に導電性及び歪感受性を提供する、前記導電性フィラーの濃度を有するステップ；ならびに
前記ジオシンセティック製品の前記測定位置での前記ジオメトリック又は機械的歪を測定して、前記ジオシンセティック構造の機械的挙動をモニタするステップ、
を含む、方法。